(57)【要約】【課題】体温の冷却及び保冷が長時間持続可能で、冷却・保冷効果の高い、持ち運びが便利な保冷具を提供することを目的とする。【解決手段】熱伝導性の高い材質からなる保冷具本体に、保冷材のような保冷効果を有する部材を設けたことにより、冷却及び保冷が長時間可能となった。又、前記保冷効果を有する部材を着脱自在としたことで交換可能とし、更に冷たい状態が持続できる。保冷具本体を中空構造にしたり、脚部や通気穴を設けることにより通気を良くし、保冷効果を更に高めることも可能である。又、保冷具本体を容器と蓋からなる構造とすることによって、保冷材の替わりに氷等でも使用可能とした。保冷具本体の材質や形状により持ち運びにも便利である。【選択図】図１
2013013703.tif 000002
【特許請求の範囲】
【請求項１】
熱伝導性の高い材質からなる保冷具本体に、保冷効果を有する部材を設け、前記保冷効果を有する部材は、前記保冷具本体から着脱自在であることを特徴とする保冷具。
【請求項２】
前記保冷具本体を、中空構造となるよう形成したことを特徴とする請求項１記載の保冷具。
【請求項３】
中空構造である前記保冷具本体の縁部が、折り曲げて形成してあることを特徴とする請求項２記載の保冷具。
【請求項４】
前記保冷具本体に、保冷効果を有する部材が設置可能な収納枠を設けたことを特徴とする請求項１又は２記載の保冷具。
【請求項５】
前記保冷具本体に於いて、少なくとも一方向を開口状態になるよう形成したことを特徴とする請求項１、２、３又は４記載の保冷具。
【請求項６】
前記保冷具本体に、脚部を設けたことを特徴とする請求項１、２、３、４又は５記載の保冷具。
【請求項７】
前記保冷具本体が容器と蓋から構成されることを特徴とする請求項１、２、４、５又は６記載の保冷具。
【請求項８】
前記保冷具本体がアルミニウムからなることを特徴とする請求項１、２、３、４、５、６又は７記載の保冷具。
【請求項９】
前記保冷具本体が熱伝導性の高い樹脂からなることを特徴とする請求項１、２、３、４、５、６又は７記載の保冷具。
【請求項１０】
前記保冷具本体に、前記保冷具本体を入れる又は、覆う為のカバー部材を設けたことを特徴とする請求項１、２、３、４、５、６、７、８又は９記載の保冷具。
【発明の詳細な説明】
【技術分野】
【０００１】本発明は、体温を冷却及び保冷する為、熱伝導性の高い材質からなる保冷具本体に、保冷効果を有する部材を着脱自在で設けたことにより、高い冷却・保冷性を長時間持続可能とした保冷具に関する。
【背景技術】
【０００２】現在、体温を冷却・保冷するものとして、冷感を有するジェルマットやアルミニウム製のボード、水で濡らして使用する保冷具等が市販されているが、保冷の効果はあまり続かず、使用後短時間は冷たさを感じられるが、その後は体温を吸収して、熱を取り込み、逆に暑苦しささえ感じられるという問題があった。又、アルミニウム製のボードに関しては、周囲の温度に左右される為、日光下では熱くなってしまう。その為、前記保冷具を使用時には、工夫が必要であると思われる。【０００３】外出時に持ち歩く為の保冷具として、首に巻くものやベスト等の衣類に保冷材を装着するもの等が市販されているが、やはり冷却・保冷時間が短いという問題点があった。
【先行技術文献】
【特許文献】
【０００４】
【特許文献１】特許公開２００５−１４４０３６号広報
【発明の概要】
【発明が解決しようとする課題】
【０００５】夏場、節電対策により、エアコン等の使用を控えている場所や、エアコン等の無い場所では、熱中症が大きな社会問題となっているが、オフィスや工場・避難所のように多くの人々が、同じ空間を所有する場合、自己の都合で空調の温度設定を低くすることは出来ないことも多く、個々の暑さ対策が必要となる。しかしながら従来の保冷具では、冷却・保冷効果を感じられる時間が短いという問題点がある。長時間に渡り冷却及び保冷可能な保冷具が必要とされる。【０００６】又、体内に熱がこもっている場合に、足裏を冷やすと効果があるが、現在、足裏を冷却及び保冷する為の効果的な保冷具は市販されていない。一般的に足裏は体の他の部位に比べ、皮膚が厚いことや、靴下やパンティーストッキング、又足袋等を着用している場合も多く、保冷具自体、かなり冷えていないと、あまり冷却効果が感じられにくい為、冷却・保冷効果の高い保冷具が必要とされる。又、毛のある程度長いペットの体温冷却・保冷の為に使用する場合も同様である。そこで本発明では、長時間に渡り冷却及び保冷が可能で、冷却・保冷効果の高い、持ち運びが便利な保冷具を提供することを目的とする。
【課題を解決する為の手段】
【０００７】以上の課題を解決する為に、請求項１の発明は、熱伝導性の高い材質からなる保冷具本体に、保冷効果を有する部材を設け、前記保冷効果を有する部材は、前記保冷具本体から着脱自在であることを特徴とする保冷具である。又、請求項２の発明は、前記保冷具本体を中空構造となるよう形成したことを特徴とする請求項１記載の保冷具である。又、請求項３の発明は、中空構造である前記保冷具本体の縁部が、折り曲げて形成してあることを特徴とする請求項２記載の保冷具である。又、請求項４の発明は、  前記保冷具本体に、保冷効果を有する部材が設置可能な収納枠を設けたことを特徴とする請求項１又は２記載の保冷具である。又、請求項５の発明は、  前記保冷具本体に於いて、少なくとも一方向を開口状態になるよう形成したことを特徴とする請求項１、２、３又は４記載の保冷具である。又、請求項６の発明は、  前記保冷具本体に、脚部を設けたことを特徴とする請求項１、２、３、４又は５記載の保冷具である。又、請求項７の発明は、前記保冷具本体が容器と蓋から構成されることを特徴とする請求項１、２、４、５又は６記載の保冷具である。又、請求項８の発明は、前記保冷具本体がアルミニウムからなることを特徴とする請求項１、２、３、４、５、６又は７記載の保冷具である。又、請求項９の発明は、前記保冷具本体が熱伝導性の高い樹脂からなることを特徴とする請求項１、２、３、４、５、６又は７記載の保冷具である。又、請求項１０の発明は前記保冷具本体に、前記保冷具本体を入れる又は、覆う為のカバー部材を設けたことを特徴とする請求項１、２、３、４、５、６、７、８又は９記載の保冷具である。
【発明の効果】
【０００８】本発明の保冷具は、熱伝導性の高い材質からなる保冷具本体に、保冷効果を有する部材を設けることにより、長時間に渡り冷却及び保冷が持続可能である。熱伝導性の高い材質を使用することで、保冷効果を有する部材の冷たさが保冷具全体に伝導し、保冷面積も広がり、冷却・保冷効果が更に高まる。又、保冷効果を有する部材を着脱自在にすることで、事前に冷やしておいた別の保冷効果を有する部材と交換可能となり、更に長時間に渡り、高い冷却・保冷効果を持続可能とした。冷却・保冷効果が高い為、足裏の使用にも適している。又、人体のみならず、ペット等にも効果的である。携帯用や持ち運びにも便利で、様々な場所で使用可能である。
【図面の簡単な説明】
【０００９】
【図１】第一の実施形態に係る保冷具を示す斜視図である。
【図２】第一の実施形態に係る保冷具でコの字型に形成した状態を示す斜視図である。
【図３】第一の実施形態に係る保冷具で、保冷材を設置した状態を示す断面図である。
【図４】第一の実施形態に係る保冷具で縁部を折って曲げた状態を示す斜視図である。
【図５】第一の実施形態に係る保冷具の一変形例を示す斜視図である。
【図６】第一の実施形態に係る保冷具の一変形例を示す斜視図である。
【図７】第一の実施形態に係る保冷具の一変形例を示す斜視図である。
【図８】第一の実施形態に係る保冷具で脚部を設けた状態を示す斜視図である。
【図９】第二の実施形態に係る保冷具で保冷材を設置した状態を示す断面図である。
【図１０】第二の実施形態に係る保冷具で、収納枠に保冷材を設置した状態を示す斜視図である。
【図１１】第三の実施形態に係る保冷具を示す斜視図である。
【図１２】第三の実施形態に係る保冷具で、蓋が連結部材により開閉可能な状態を示す斜視図である。
【図１３】本発明の実施形態に係る保冷具で、カバー部材を設けた状態を示す斜視図である。
【発明を実施する為の形態】
【００１０】以下に本発明の実施形態について説明する。
【実施例１】
【００１１】本発明の一実施形態を図１に示す。図１は、保冷具本体１の斜視図である。熱伝導性の高い材質からなる部材２を加工し、環状に形成する。この時、熱伝導性の高い材質からなる部材２が中空構造となるよう、間に空間３を設ける。尚、空間３の両端は開口状態とする。又、図示はしないが、熱伝導性の高い材質からなる部材２の縁部は、研磨等によって滑らかな状態に形成したり、内側へ折り曲げ形成してもよい。又、図２で示すように、環状に形成するのではなく、熱伝導性の高い材質からなる部材２を二つ折りにし、コの字型に形成してもよい。尚、熱伝導性の高い材質からなる部材２に、通気の為に通気穴９・溝等を設けてもよい。本実施形態では、熱伝導性の高い材質からなる部材２はアルミニウムを使用するが、他の金属や樹脂・ゴム・石・シリコン等でも、熱伝導性の高い材質であればよい。【００１２】熱伝導性の高い材質からなる部材２に設けた空間３に、保冷効果のある部材を設置した状態の断面図を図３に示す。尚、保冷効果のある部材には、保冷材４を使用する。保冷材４は空間３内に置いて設置する。又、空間３内部に保冷材４を設置する為の収納枠５等を設けてもよい。尚、図４で示すように、保冷材４が容易に保冷具本体１から外部へ出ないように、縁部１２を折り曲げ形成したり、空間３を保冷材４の厚みに合わせ、保冷材４を差し込んだ状態で、抜け落ちないような形状に形成してもよい。又、図示はしないが、保冷具本体１の開口部の形状に合わせ、着脱可能な蓋を設けてもよい。【００１３】第一の実施形態の形状の変形例を、図５・図６・図７に示す。又、図示はしないが、熱伝導性の高い材質からなる部材２を袋状にし、開口部を一方向のみに設け開口状態にしてもよい。【００１４】又、図８で示すように、保冷具本体１の底部に、床面との間に隙間を設ける為に、脚部６を設けてもよい。【００１５】熱伝導性の高い材質からなる部材２に模様や色、エンボス加工等を施してもよい。
【実施例２】
【００１６】本発明の第二の実施形態を図９に示す。図９は保冷具本体１に保冷材４を設置し設けた状態を示す断面図である。板状の熱伝導性の高い材質からなる部材２を凹凸に形成し、脚部６と保冷材４を収納するスペースを一体的に設けた。又、図１０は、保冷材４の収納枠５を、熱伝導性の高い材質からなる部材２の下部に設けた状態を示している。
【実施例３】
【００１７】本発明の第三の実施形態を図１１に示す。熱伝導性の高い材質からなる部材２を弁当箱のような箱状に形成する。容器７と蓋８を一対とし、蓋８を開けて内部に保冷材４等を設置する。尚、箱状になっている為、保冷材の替わりに氷等入れてもよい。その際、容器７と蓋８の一部に通気穴９を設けてもよい。又、前記容器７と蓋８は、蓋８を容器７から取り外すことが出来るが、図１２が示すように、容器７と蓋８の一部を連結部材１０により連結させ、その部分を軸として蓋８を開閉可能にしてもよい。尚、連結部材１０は、蓋８が開閉出来る構造であればどのような形状でもよい。又、容器７や蓋８の一部に通気穴９を設けてもよい。【００１８】本発明の使用方法は、保冷具本体１が直に肌に当たらないよう、所望の箇所に当て冷却・保冷する。足を冷却・保冷する場合は、靴下やパンティストッキングや足袋等を着用したりすることが望ましい。又、図１３で示すように、直に肌に当たらないよう、保冷具本体１にカバー・巾着袋等の袋等のカバー部材１１を設けてもよい。
【産業上の利用可能性】
【００１９】屋内・屋外を問わず、体温を長時間に渡り冷却及び保冷が持続可能である。オフィスや工場・病院・福祉施設・避難所・体育館・学校・家庭・ペットショップ・動物病院等の屋内施設内、スポーツ観戦時や屋外イベント時・アウトドア等の屋外でも役立つ保冷具である。携帯用や持ち運びにも便利で、様々な場所へ使用可能である。
【符号の説明】
【００２０】１  保冷具本体
２  熱伝導性の高い材質からなる部材
３  空間
４  保冷材
５  収納枠
６  脚部
７  容器
８  蓋
９  通気穴
１０  連結部材
１１  カバー部材
１２  縁部
【図１】
2013013703.tif 000003
【図２】
2013013703.tif 000004
【図３】
2013013703.tif 000005
【図４】
2013013703.tif 000006
【図５】
2013013703.tif 000007
【図６】
2013013703.tif 000008
【図７】
2013013703.tif 000009
【図８】
2013013703.tif 000010
【図９】
2013013703.tif 000011
【図１０】
2013013703.tif 000012
【図１１】
2013013703.tif 000013
【図１２】
2013013703.tif 000014
【図１３】
2013013703.tif 000015